(57)【要約】【課題】四角筒形状に形成された縦框材と横框材とを枠組みするべく連結する構成を作業性よくできるようにする。【解決手段】横框材９を、各縦框材６、７、８の筒内に内嵌可能な板厚に形成する一方、縦框材６、７、８の戸先側と戸尻側に位置する外側片６ｂ、８ｃを除く側片６ｃ、７ｂ、７ｃ、８ｂに切欠き部６ｇ、７ｇ、７ｈ、８ｆを形成し、前記切欠き部６ｇ、７ｇ、７ｈ、８ｆを介して第一、第二、第三縦框材６、７、８の筒内に横框材９の筒端部を挿し込んで、第一、第三縦框材６、８の外側片６ｂ、８ｃと横框材９の筒端部とを固定する構成とする。【選択図】図５
2010053583.tif 000002
【特許請求の範囲】
【請求項１】
縦框材と横框材とで枠組みしてなる扉体において、横框材を、縦框材に内嵌可能な厚さに形成する一方、縦框材の内外側片のうち、横框材に対向する内側片に切欠き部を形成し、前記切欠き部を介して横框材の端部を縦框材内に挿し込んで、縦框材の外側片と横框材の端部とを固定する構成とした扉体。
【請求項２】
横框材は、縦框材に挿し込まれる本体部と、縦框材の端部に係止して外部に露出する係止片部とを備えて構成されている請求項１に記載の扉体。
【請求項３】
縦框材は、複数の縦框材を連結して構成され、各縦框材は、外側に位置する縦框材の外側片を除く内外側片に切欠き部が形成されている請求項１または２に記載の扉体。
【発明の詳細な説明】
【技術分野】
【０００１】
本発明は、例えばアルミニウム型材等により構成される四角筒形状の框材を用いて構成される門扉等の扉体の技術分野に属するものである。
【背景技術】
【０００２】
一般に、この種扉体のなかには、これが門扉等の屋外に設けられるものである場合、扉体を枠組み構成する縦、横框材を、例えばアルミ材等の金属材により四角筒形状に形成された押し出し型材により形成したものを用いて構成することが汎用されている。このようなものにおいて、縦框材と横框材との連結は、一方の框材の内外側片のうち、他方の框材に対向する内側片に、他方の框材の筒端部を突当てて固定する構成が一般的である。このような構成において、縦、横框材により構成される枠内には扉面部材が設けられるため、框材の内側片には扉面部材を嵌合するための凹溝が形成されることがある。この場合では、一方の框材の凹溝が形成された内側片と他方の框材の筒端部を突き合わせて固定することになるため、これら突き合わせ面同士の形状を精度よく対応させなければならず、これら突き合わせ面の形状加工が難しく、ガタつきのない連結状態とするのが難しいという問題があった。
【０００３】
この改善策として、縦框材の内側片と横框材の筒端部との間にコーナーブロックを設けて、縦、横框材同士の連結が簡単、かつ、強固に行えるようにしたものが提唱されている。
【特許文献１】特開平８−８２１７６号公報
【発明の開示】
【発明が解決しようとする課題】
【０００４】
ところが、前記従来のものは、縦、横框材同士の突き合わせ面同士の加工の問題はコーナーブロックを用いることで解消されるものの、これらを連結する場合では、縦框材の外側片に開設されたバカ孔を介して挿入した螺子の先端を、縦框材の内側片、コーナーブロックを介して横框材のビスポケットに螺入することによりなされるため、螺子の全長を長くしなければならないうえ、縦框材として横幅の長い（横方向に長い）形状のものを採用したい場合では、縦框材の横幅よりも全長の長い治具を用いて螺子止めしなければならないため、縦框材の横幅の設定に限界が生じるという問題がある。さらに、このものでは、縦框材の筒端が上下方向に開口した状態となるため、前記連結部におけるコーナーブロックばかりでなく、縦框材の筒端部を覆蓋するための大きなキャップが必要となり、部品点数が増加して組付け作業が面倒、かつ、煩雑になるという問題もあり、これらに本発明の解決すべき課題がある。
【課題を解決するための手段】
【０００５】
本発明は、上記の如き実情に鑑みこれらの課題を解決することを目的として創作されたものであって、請求項１の発明は、縦框材と横框材とで枠組みしてなる扉体において、横框材を、縦框材に内嵌可能な厚さに形成する一方、縦框材の内外側片のうち、横框材に対向する内側片に切欠き部を形成し、前記切欠き部を介して横框材の端部を縦框材内に挿し込んで、縦框材の外側片と横框材の端部とを固定する構成とした扉体である。
請求項２の発明は、横框材は、縦框材に挿し込まれる本体部と、縦框材の端部に係止して外部に露出する係止片部とを備えて構成されている請求項１に記載の扉体である。
請求項３の発明は、縦框材は、複数の縦框材を連結して構成され、各縦框材は、外側に位置する縦框材の外側片を除く内外側片に切欠き部が形成されている請求項１または２に記載の扉体である。
【発明の効果】
【０００６】
請求項１の発明とすることにより、作業性の向上、意匠の多様化を図ることができるうえ、部品点数の削減を図ることができる。
請求項２の発明とすることにより、作業性のさらなる向上を図れるうえ、部品点数の少ないものでありながら雨仕舞いのよい扉体とすることができる。
請求項３の発明とすることにより、扉体の意匠の多様化を図ることができる。
【発明を実施するための最良の形態】
【０００７】
つぎに、本発明の第一の実施の形態について、図面に基づいて説明する。
図面において、１は住宅へのアプローチ等に設けられる門扉であって、該門扉１は、左右一対の支持柱２と、これら各支持柱２の上下方向二箇所にそれぞれ設けたヒンジユニット３を介して連結される左右一対の扉体４とを備えて構成されている。これら扉体４は、図１（Ａ）に示すように、図面奥側に観音開き状に開閉揺動するように構成されており、各扉体４の内側端部における表裏には、それぞれ図示しない錠装置に連動する操作プレート４ａが設けられている。また、左側の扉体４には、地面に凹設された凹穴に出没自在に嵌入する落し棒５が設けられており、該側の扉体４は、必要において落し棒５を凹穴に没入させた状態とすることにより、全閉状態に維持することができるように構成されている。
尚、４ｂは左側の扉体４の戸先側に右方に突出して設けられ、右側の扉体４の全閉状態を位置規制する戸当たり片である。
【０００８】
つぎに、前記左右一対の扉体４の構成を説明するが、各扉体４は左右対称状のものが用いられているので、ここでは右側の扉体４を基準に説明し、左側の扉体４については同様の符号を付すことで詳細な説明は省略する。
前記扉体４は、戸先側となる左側端部を構成する第一、第二縦框材６、７と、戸尻側となる右側端部を構成する第三縦框材８と、上下一対の横框材９とにより四角形状に枠組みされ、これら框材６、７、８、９により囲繞される枠内に、扉面部材に相当する左右方向に長い複数の横桟１０が固定される構成となっているが、これら横桟１０は、左右両端部が第二、第三縦框材７、８にそれぞれ固定されるように構成されている。
【０００９】
前記第一、第二、第三縦框材６、７、８および横框材９は、それぞれアルミ材による押出し型材で長尺状に構成されている。そして、横框材９の表裏方向厚Ｗ１は、第一、第二、第三縦框材６、７、８の表裏方向厚Ｗ２よりも薄く（短く、Ｗ１＜Ｗ２）寸法設定されており、横框材９が第一、第二、第三縦框材６、７、８の筒内に嵌入可能となるように設定されている。
前記第一、第二縦框材６、７は上下方向を向き、互いに連結された状態で配される戸先側の框材であって、これらのうち、戸先側の第一縦框材６は、図２に示すように、表裏面を構成する表裏一対の表裏片６ａ、戸先側端面を構成する外側片６ｂ、戸尻側端面を構成し、横框材９側に対向する片となる内側片６ｃとを備えて四角筒形状に形成されている。さらに、第一縦框材６は、外側片６ｂの表裏側端縁からそれぞれ戸先側に向けて突出する表裏一対の突片６ｄが形成され、内側片６ｃの表裏側端縁からそれぞれ戸尻側に向けて突出し、第二縦框材７の戸先側端部を挟持する挟持片６ｅが形成されている。そして、表裏片６ａ、外側片６ｂ、内側片６ｃには、それぞれ螺子、操作プレート４ａ等の部材を組込むために必要な螺子孔、貫通孔等の各種孔６ｆが予め開設されているとともに、内側片６ｃの上下端部には、表裏方向厚Ｗ１の横框材９の戸先側端部が第一縦框材６の筒内に嵌入可能となるよう切欠き部６ｇがそれぞれ形成されている。
【００１０】
また、第二縦框材７は、図３に示すように、表裏面を構成する表裏一対の表裏片７ａ、第一縦框材６との連結がなされる戸先側端面を構成する外側片７ｂ、横桟１０が連結される戸尻側端面を構成する内側片７ｃとを備えて四角筒形状に形成されている。さらに、第二縦框材７の表裏片７ａには戸先側の端部に位置して段差部７ｄが形成されており、外側片７ｂの表裏方向厚Ｗ３は、戸尻側の表裏方向厚Ｗ２よりも薄い（短い）が、横框材９の表裏方向厚Ｗ１よりも厚く（長く、Ｗ１＜Ｗ３＜Ｗ２）なるように形成されており、該段差部７ｄ部位が第一縦框材６の挟持片６ｅに内嵌するように設定されている。また、第二縦框材７は、内側片７ｃの表裏側端縁からそれぞれ戸尻側に向けて突出し、前記複数の横桟１０の各端部を固定する上下方向長尺状の固定ブロック１１を内嵌保持するとともに、横框材９を内嵌保持するための保持突片７ｅが形成されている。そして、外側片７ｂ、内側片７ｃには、それぞれ螺子等の部材を組込むために必要な螺子孔、貫通孔等の各種孔７ｆが予め開設されているとともに、外側片７ｂ、内側片７ｃの上下端部には、表裏方向厚Ｗ１の横框材９の戸先側端部が嵌入可能となるべく、第一縦框材６の切欠き部６ｇに連通する切欠き部７ｇ、７ｈがそれぞれ形成されている。
【００１１】
前記第三縦框材８は、上下方向を向いて配される戸尻側の框材であって、図６（Ａ）に示すように、表裏面を構成する表裏一対の表裏面８ａ、戸先側端面を構成する内側片８ｂ、戸尻側端面を構成する外側片８ｃとを備えて四角筒形状に形成されている。さらに、第三縦框材８は、内側片８ｂの表裏側端縁からそれぞれ戸先側に向けて突出し、前記複数の横桟１０の各端部を固定する固定ブロック１１を内嵌保持するとともに、横框材９を内嵌保持するための保持突片８ｄが形成されており、外側片８ｃの表裏側端縁からそれぞれ戸尻側に突出する表裏一対の突片８ｅが形成されている。そして、内側片８ｂ、外側片８ｃには、第一縦框材６と同様に、螺子等の部材を組込むために必要な螺子孔、貫通孔等の各種孔（図示せず）が予め開設されているとともに、内側片８ｂの上下端部には、表裏方向厚Ｗ１の横框材９の戸尻側端部が嵌入可能となるよう切欠き部８ｆがそれぞれ形成されており、第三縦框材８の上下端部を内側から目視したとき、切欠き部８ｆを介して外側片８ｃが目視されるように構成されている。
【００１２】
一方、横框材９は、左右方向を向いて配される上下の框材であって、図４に示すように、表裏一対の表裏片９ａ、上端面を構成する上側片９ｂ、下端面を構成する下側片９ｃとを備えて形成されている。そして、表裏片９ａの上端部には段差部９ｄが形成されており、該段差部９ｄの下方部位が、表裏方向厚Ｗ１に設定された本発明の本体部９ｅに相当する一方、段差部９ｄの上方部位が、前記第一、第二、第三縦框材６、７、８の表裏方向厚Ｗ２より厚い（長い）表裏方向厚Ｗ４（Ｗ２＜Ｗ４）に設定された本発明の係止片部９ｆに相当するように構成されている。そして、横框材９は、本体部９ｅは第一、第二、第三縦框材６、７、８の筒内に挿し込まれて内嵌状態となるが、係止片部９ｆは、段差部９ｄが第一、第二、第三縦框材６、７、８の表裏片６ａ、７ａ、８ａの筒端縁に係止することにより第一、第二、第三縦框材６、７、８に嵌入することはなく、外部に露出するように構成されている。
さらに、表裏片９ａの内側の面には、それぞれビスポケット９ｇが横方向全長にわたって形成されている。
【００１３】
そして、第一縦框材６の表裏一対の挟持片６ｅの間に第二縦框材７の表裏方向厚Ｗ３に設定された戸先側端部を嵌入させ、第一縦框材６の内側面６ｃに第二縦框材７の外側面７ｂを突当てた状態とし、上下方向複数箇所に設けられ、互いに位置合わせして開設された螺子孔６ｆと貫通孔７ｆとを用いて固定螺子１２を螺合することにより、第一、第二縦框材６、７が連結固定されるように構成されている。この状態において、第一、第二縦框材６、７は、第一縦框材６の内側片６ｃの切欠き部６ｇ、第二縦框材７の内、外側片７ｃ、７ｂの切欠き部７ｈ、７ｇとが左右方向に連通する状態となっており、連結された第一、第二縦框材６、７の上下端部を内側から目視したとき、これら切欠き部７ｈ、７ｇ、６ｇを介して第一縦框材６の外側片６ｂが目視されるように構成されている。そして、このように連結された戸先側の第一、第二縦框材６、７と戸尻側の第三縦框８との間の上下端部に横框材９を組込むことで、扉体４の枠組みがなされるが、この組込みについて、図１の左側に配される扉体４の上方部位における組込みを、図５、６、７の図面に基づいて説明する。
【００１４】
前記横框材９は扉体４の左右幅寸法に相当する長さに切断されており、戸先側においては、本体部９ｅの戸先側端部を、第二縦框材７の内、外側片７ｃ、７ｂの上端部に形成された切欠き部７ｈ、７ｇ、第一縦框材６の内側片６ｃの上端部に形成された切欠き部６ｇに挿し込んで第一、第二縦框材６、７の上端部筒内に嵌入させ、段差部９ｄを第一、第二縦框材６、７の上端縁部に突当てた状態とするとともに、横框材９の戸先側の筒端面を第一縦框材６の外側片６ｂに近接させた状態あるいは突当てた状態とする。この状態において、横框材９は、係止片部９ｆが第一、第二縦框材６、７に係止することにより第一、第二縦框材６、７に対する上下方向の位置決めがなされており、第一縦框材６の外側片６ｂに開設された貫通孔６ｆから挿通した固定螺子１３を、外側片６ｂに近接または突当てられた横框材９のビスポケット９ｇに螺合することにより、戸先側の第一、第二縦框材６、７上端部と横框材９戸先側端部との連結固定がなされるように構成されている。
一方、戸尻側においては、横框材本体部９ｅの戸尻側の端部を、第三縦框材８の上端部に形成された切欠き部８ｆに挿し込んで、第三縦框材８の上端部筒内に嵌入させ、段差部９ｄを第三縦框材８の上端縁部に突当てた状態とするとともに、横框材９の戸尻側の筒端面を第三縦框材８の外側片８ｃに近接あるいは突当てた状態とする。この状態において、横框材９は、係止片部９ｆが第三縦框材８に係止することにより第三縦框材８に対する上下方向の位置決めがなされており、第三縦框材８の外側片８ｃに開設された貫通孔から挿通した固定螺子１３を、外側片８ｃに近接または突当てられた横框材９のビスポケット９ｇに螺合することにより、戸尻側の第三縦框材８上端部と横框材９戸尻側端部との連結固定がなされるように構成されている。
これによって、第二、第三縦框材７、８の内側片７ｃ、８ｂに扉面部材となる横桟１０を固定するための保持突片７ｅ、８ｄ（凹部）が形成されていたとしても、これらの形状に合わせることなく第一、第二縦框材６、７と横框材９、第三縦框材８と横框材９との連結を行うことができて、連結構成の簡略化を図れるように構成されている。
【００１５】
尚、第一、第二、第三縦框材６、７、８と横框材９との組込みは、予め第二、第三縦框材７、８との間に扉面を構成する横桟１０を組込んだ状態においてなされるように構成されており、横桟１０の組込み後、第一、第二縦框材６、７の上下の端部と横框材９の戸先側端部、第三縦框材８の上下の端部と横框材９の戸尻側端部とを連結することで扉体４が形成されるように構成されている。この状態において、第一、第二、第三縦框材６、７、８の筒端部は、横框材９の係止片部９ｆにより塞がれており、これら筒端部にキャップ等の覆蓋部材を設ける必要はないが、第一、第三縦框材６、８の戸先側、戸尻側にはそれぞれ突片６ｄ、８ｅが突出形成され、これらの上下端部は開口状態となっている。このため、本実施の形態では、これら突片６ｄ、８ｅの上下端部を塞ぐ小さなキャップ材１４が設けられており、これによって、扉体４の雨仕舞いがなされるように構成されている。前記キャップ材１４は、突片６ｄ、８ｅの上下端部を覆蓋し、横框材９の係止片部９ｆと面一状となる本体部１４ａと、第一、第三縦框材６、８の外側片６ｂ、８ｃに沿って延出する脚片１４ｂとを備えて構成されており、脚片１４ｂが螺子１４ｃにより各外側片６ｂ、８ｃに螺着するように構成されている。
【００１６】
叙述の如く構成された本形態において、扉体４は、第一、第二、第三縦框材６、７、８と横框材９とを四角形状に枠組みすることにより構成されるが、戸先側の第一、第二縦框材６、７と横框材９とは、第一、第二縦框材６、７に形成された切欠き部６ｇ、７ｇ、７ｈを介して横框材９を構成する本体部９ｅの戸先側端部を第一、第二縦框材６、７の筒内に挿し込み、第一縦框材６の外側片６ｂと横框材本体部９ｅの戸先側端部とを固定螺子１３により螺合することにより連結固定され、また、戸尻側の第三縦框材８と横框材９とは、第三縦框材８に形成された切欠き部８ｆを介して横框材本体部９ｅの戸尻側端部を第三縦框材８の筒内に嵌入させ、第三縦框材８の外側片８ｃと横框材本体部９ｅの戸尻側端部とを固定螺子１３により螺合することにより連結固定されている。この結果、縦框材の内側片と横框材の筒端部とを連結するもののように、横框材の筒端部の形状を縦框材内側片の形状にあわせて加工したり、コーナーブロックを設けるような必要がなく、構成の簡略化を図ることができるうえ、第一、第二、第三縦框材６、７、８と横框材９とを簡単、かつ、容易に連結することができて作業性の向上を図ることができる。しかも、四角筒状の横框材９がそれぞれ第一、第三縦框材６、８の筒内に嵌入し、横框材９の筒端部を第一、第三縦框材６、８の外側片６ｂ、８ｃに当接するような近接状態で固定することができるので、螺子長の短い固定螺子１３を用いて連結固定することができるうえ、第一、第二、第三縦框材６、７、８の横幅を長くするような意匠となっても、縦框材の横幅に合わせた治具が必要になるようなことがなく、意匠の多様化を図ることができる。また、第一、第二、第三縦框材６、７、８の上下の筒端部を横框材９により覆蓋することができるので、これらの筒端部を別途キャップ材を用いて塞ぐような必要がなく、部品点数の削減を図ることが可能となる。
【００１７】
このように、本発明が実施されたものにあっては、第一、第二、第三縦框材６、７、８と横框材９との連結を、横框材９を第一、第二、第三縦框材６、７、８の筒内に嵌入させ、第一、第三縦框材６、８の外側片６ｂ、８ｃと横框材９の戸先、戸尻の各端部とを連結する構成として、連結作業の簡略化を図れるようにしたものであるが、このものでは、さらに、横框材９の上下方向一方に係止片部９ｆが形成されていて、係止片部９ｆが第一、第二、第三縦框材６、７、８の筒端部に係止することにより、横框材９を第一、第二、第三縦框材６、７、８に対して上下方向に位置決めされた状態に保持することができ、第一、第二、第三縦框材６、７、８と横框材９との連結作業の作業性が一層向上するうえ、第一、第二、第三縦框材６、７、８における雨仕舞いも一層良好にすることができる。
【００１８】
しかも、このものでは、戸先側の縦框材として第一、第二縦框材６、７を連結したものを用いる構成としても横框材９との連結が容易であり、扉体４の意匠をさらに多様化することが可能となる。
【００１９】
尚、本発明は前記実施の形態に限定されないことは勿論であって、図８に示す第二の実施の形態のようにすることもできる。
前記第二の実施の形態において、扉体１５を構成する戸先側の第一、第二、第三縦框材１６、１７、１８の構成、さらに、横框材１９が第一、第二、第三縦框材１６、１７、１８の筒内に挿し込まれる本体部１９ａと係止片部１９ｂとで構成されること、第一、第三縦框材１６、１８の外側片１６ａ、１８ａに横框材本体部１９ａの戸先側、戸尻側の各端部がそれぞれ連結固定されることは前記第一の実施の形態と同様の構成である。そして、第二の実施の形態の横框材１９は、係止片部１９ｂの戸先側と戸尻側の各端部が、それぞれ第一縦框材１６の戸先側、第三縦框材１８の戸尻側にそれぞれ形成される突片１６ｂ、１８ｂの上端部に対向する部位にまで延出して形成されており、これによって、前記第一の実施の形態のように、突片の上方のキャップ材を設ける必要がないように構成されている。これによって、部品点数がさらに削減されるうえ、作業性のさらなる向上が図れるように構成されている。
【図面の簡単な説明】
【００２０】
【図１】図１（Ａ）、（Ｂ）はそれぞれ門扉の平面図、正面図である。
【図２】図２（Ａ）、（Ｂ）、（Ｃ）、（Ｄ）はそれぞれ第一縦框材の平面図、左側面図、正面図、右側面図である。
【図３】図３（Ａ）、（Ｂ）、（Ｃ）、（Ｄ）はそれぞれ第二縦框材の平面図、左側面図、正面図、右側面図である。
【図４】図４（Ａ）、（Ｂ）はそれぞれ横框材の側面図、底面図である。
【図５】図５（Ａ）、（Ｂ）はそれぞれ扉体の一部を切欠いた側面図、一部を切欠いた正面図である。
【図６】図６（Ａ）、（Ｂ）はそれぞれ図１（Ｂ）のＸ−Ｘ断面図、扉体の一部を切欠いた平面図である。
【図７】図１（Ｂ）のＹ−Ｙ断面図である。
【図８】図８（Ａ）、（Ｂ）はそれぞれ第二の実施の形態における横框材の正面図、扉体の一部を切欠いた正面図である。
【符号の説明】
【００２１】
１    門扉
２    支持柱
４    扉体
６    第一縦框材
６ｂ    外側片
６ｇ    切欠き部
７    第二縦框材
８    第三縦框材
８ｃ    外側片
８ｆ    切欠き部
９    横框材
９ｅ    本体部
９ｆ    係止片部
９ｇ    ビスポケット
【図１】
2010053583.tif 000003
【図２】
2010053583.tif 000004
【図３】
2010053583.tif 000005
【図４】
2010053583.tif 000006
【図５】
2010053583.tif 000007
【図６】
2010053583.tif 000008
【図７】
2010053583.tif 000009
【図８】
2010053583.tif 000010